(57)【要約】【課題】  通常の仕立てのシャツやブラウス等の上衣のずり上がりを、ズボンやスカートのベルト等を使用せず、ズボンやスカートの表面から目立たずに防止すること。また、このための防止具は、装着に手間がかからず、使用時に違和感のあまりないものであること。【解決手段】  人体の股間部分とその前後の腹部およびでん部の一部を覆うことのできる形状、またはショーツ状に両脇部分も覆うことのできる形状のシャツずり上がり防止サポーター2を、シャツやブラウス等の上衣1の前身頃と後身頃にアイロン接着や糸等で固定的に、またはスナップボタン、ホック、面ファスナー等で着脱できるように取り付ける。サポーター2は伸縮性のある素材からなり、人体の股間部分に密着させて上衣を下方向に引っ張る力を働かせることより、腰をかがめたり腕を上げたりの日常的な動作によって上衣がずり上がるのを防止することを特徴とする。【選択図】  図１
2006241647.tif 000002
【特許請求の範囲】
【請求項１】
人体の股間部分とその前後の腹部およびでん部の一部を覆うことのできる伸縮性のある素材であり、腹部に対応する部分およびでん部に対応する部分をシャツやブラウス等の上衣の前身頃と後身頃にそれぞれ、接着剤、接着テープ、糸等の手段で固定的に、または、スナップボタン、ホック、面ファスナー等の手段で着脱できるように取り付けることができることを特徴とするシャツずり上がり防止サポーター。
【請求項２】
前記のサポーターの腹部に対応する部分とでん部に対応する部分を、サポーターと同素材またはその他の弾性素材等で両脇をつなげてショーツ状に仕立てたことを特徴とするシャツずり上がり防止サポーター。
【請求項３】
請求項１〜２記載のサポーターを股間部分で切り離し、開閉できるような構造を付加したことを特徴とするシャツずり上がり防止サポーター。
【請求項４】
請求項１〜３記載のサポーターを、前開きの上衣で使用できるように、前身頃に対応する部分を切り離せるようにしたことを特徴とするシャツずり上がり防止サポーター。
【請求項５】
請求項１〜３記載のサポーターを、後開きの上衣で使用できるように、後身頃に対応する部分を切り離せるようにしたことを特徴とするシャツずり上がり防止サポーター。
【請求項６】
請求項１〜５記載のサポーターをブリーフやガードル等の下ばきの上に重ね合わせて、下ばきと一体化したことを特徴とするシャツずり上がり防止サポーター。
【発明の詳細な説明】
【技術分野】
【０００１】
本発明は、シャツやブラウス等の上衣の裾をズボンやスカートの中に入れて着用する場合、ズボンやスカートの中の裾がズボンやスカートの中から表にずり上がらないようにするシャツずり上がり防止サポーターに関する。
【背景技術】
【０００２】
シャツやブラウス等の上衣をすっきりと着こなすのは、着用者自身が快適であるばかりでなく、第三者にも見た目の好印象を与えるものである。しかし、上衣の裾をズボンやスカートの中に入れて着用する場合、腰をかがめたり腕を上げたり等の日常的な動作によって上衣の裾が表にずり上がってしまうことがある。
【０００３】
ズボンやスカートのベルトを強く締める等の解決策もあるが、衣服のデザイン等により、ベルト通しのないズボンやスカートもあり、必ずしもベルトを使用できるとは限らない。
【０００４】
また、上衣の裾を把持する把持部材を先端に取り付けた弾性のあるバンド材を股間の下に通して上衣のずり上がりを防止するベルト等も考案されているが、ズボンやスカートが下半身にぴったりと密着する形状の場合は、ズボンやスカートの表面から把持部材やバンドが透けて見える可能性があり、着こなしの面から使用を躊躇することもあると考えられる。
【０００５】
下方部分がショーツ状に仕立ててあり、股間部分がホック留めになったシャツやブラウス等もすでに一部に製造されている。このような構造のシャツやブラウスは、前身頃と後身頃が股間部分で閉じられているため、つねにシャツやブラウス等を下方向に引っ張る力が働き、シャツやブラウス等をいつでもすっきりとズボンやスカートの中に収めておくことができる。このような構造の衣類は乳児・幼児用の肌着やシャツ等、または女性用の肌着には多く見られるようになったが、成人用のシャツやブラウス等はあまりなく、デザインも限られているため、気に入ったデザイン・価格のものを入手することは難しいのが現状である。また、このような構造に仕立てられたシャツやブラウス等のずり上がり防止機能はその上衣に固有のものであり、通常の仕立てのシャツやブラウス等のずり上がりを防止する解決策にはならない。
【０００６】
なお、本願発明に関連する公知技術として次の特許文献１を挙げることができる。
【０００７】
【特許文献１】登録実用新案公報（U）  登録実用新案第３０８１９６５号
【発明の開示】
【発明が解決しようとする課題】
【０００８】
本発明が解決しようとする課題は、上述の問題、すなわち、通常の仕立てのシャツやブラウス等の裾のずり上がりを、ズボンやスカートのベルト等を使用せず、ズボンやスカートの表面から目立たずに防止することである。
【０００９】
またこのための防止具は、誰もが快適に使用できるように、装着に手間がかからず、使用時に違和感のあまりないものにする必要があると考える。
【課題を解決するための手段】
【００１０】
この課題を解決するための手段として提供する本発明のシャツずり上がり防止サポーターは、伸縮性のある素材を用い、人体の股間部分とその前後の腹部およびでん部の一部を覆うことのできる形状のもの、またはショーツ状に両脇部分も覆うことのできる形状のものである。そして、腹部に対応する部分およびでん部に対応する部分をシャツやブラウス等の上衣の前身頃と後身頃にそれぞれ、接着剤、接着テープ、糸等の手段で固定的に、または、スナップボタン、ホック、面ファスナー等の手段で着脱できるように取り付けることによって、シャツのずり上がりを防止することを特徴とする。
【００１１】
またトイレ等のために下ばきを脱ぎ着する場合を考慮し、上述のサポーターを股間部分で切り離し、開閉できるような構造を付加した形状のもの、および前開きの上衣または後開きの上衣で使用できるように、前身頃または後身頃に対応する部分をそれぞれ切り離すことができる形状のものを提供する。
【００１２】
さらに、このサポーターをブリーフやガードル等の下ばきの上に重ね合わせて、下ばきと一体化したことを特徴とする一体型のシャツずり上がり防止サポーターも提供する。
【発明の効果】
【００１３】
本発明の一連のシャツずり上がり防止サポーターの第一の特徴は、使用者のさまざまなニーズに対応できる点である。このような防止具を装着するわずらわしさを軽減したい使用者には、上衣に固定的に取り付ける方法やブリーフやガードル等の下ばきと一体化した形状のものが適している。ズボンやスカートの表面から防止具が目立たないことを重視する使用者には、接着剤、接着テープ、糸等で凹凸のないように取り付ける方法により、満足のいく結果が得られる。また、裾をズボンやスカートの表に出す着こなしをすることもある上衣には、スナップボタン、ホック、面ファスナー等の手段でサポーターを着脱できるようにすることも可能である。
【００１４】
第二の特徴は、サポーター使用時の違和感があまりない点である。人体の股間部分とその前後の広い面積を覆うため、下ばきと同様のはき心地が得られる。また金属やプラスチック製の把持部材や長さ調節部材等を使用しないため、これらの部材が肌に当たる不快感もない。
【００１５】
上述のような理由から、さまざまなニーズを満たす本サポーターは、性別・年代を問わず幅広い層の消費者を対象にすることが可能である。ファッションに興味のある女性ばかりでなく、身だしなみが重視されるサービス業や接客業等の従事者、制服にシャツやブラウスを着用する学生等への利用も考えられる。また、動きが激しく、すぐに肌着やシャツの裾がズボンやスカートの表に上がって、腹部が出てしまう乳児・幼児向けにも需要が見込める。
【発明を実施するための最良の形態】
【００１６】
以下、本発明の実施の形態を図面に基づき詳細に説明する。
【００１７】
図１は本発明のシャツずり上がり防止サポーターを上衣に取り付けた状態での斜視図である。サポーターの破線部分は、上衣の内面に取り付けられているため、実際には上衣の表面からは見えない。図２は、図１のサポーターを取り外した状態での詳細図であり、本発明のサポーターの最も一般的な形状を示している。上方部分は人体の腹部、中程は股間、下方はでん部部分をそれぞれ覆う。腹部上端の3の部分を上衣の前身頃に、でん部上端の4の部分を後身頃にそれぞれ取り付ける。図３は腹部の上端とでん部の上端部分を、同素材やその他の弾性素材で両脇をつなげて縫い合わせ、ショーツ状に仕立てたものである。図４および図５は上述のサポーターのいずれかをブリーフやガードル等の下ばきに重ね合わせたものである。図４はその正面図、図５はその背面図を示す。
【００１８】
図２のサポーターは、上衣の脱ぎ着やトイレ等のために下ばきを脱ぎ着する場合を考慮し、人体の股間部分でサポーター前部と後部とに切り離せる構造になっている。この前部と後部の分離部分5は、スナップボタン、ホック、面ファスナー等の手段で開閉できるようにする。さらに前開きの上衣で使用できるように、サポーター前部を２つのパーツに切り離し、必要に応じて、この分離部分6もスナップボタン、ホック、面ファスナー等の手段で開閉できるようにする。後開きの上衣の場合は、サポーター後部を２つのパーツに切り離し、必要に応じて、開閉構造を付加すればよい。また、Tシャツのように前後ともに開きのない上衣には、前部または後部の中央を切り離す必要はない。
【００１９】
図３のサポーターは両脇をつなげてショーツ状に仕立てたものである。必要に応じて、図２のように、股間部分や、前部または後部の中央を切り離して開閉構造を付加することもできる。
【００２０】
図４および図５のサポーター7は、ブリーフやガードル等の下ばき8の上に重ね合わせて一体化したものである。図４はその正面図、図５はその背面図を示している。下ばきと一体化してもサポーターの伸縮性をできるだけ損なわないようにサポーターにある程度の自由度を残すため、下ばきとサポーターを縫い合わせる箇所は、股間部分と足回り等の一部にとどめる。さらに、サポーターの上端部分がずり落ちないようにするため、ゴム等の弾性素材11を用いて下ばきにサポーターを取り付ける。男性用には図２のようなサポーター前部が２つのパーツに切り離された形状のものが適しているが、女性用には前部が切り離されている必要はない。また、このような一体型サポーターは、トイレ等の際には下ばきと一緒に脱ぎ着するので、股間部分での開閉構造は不要である。
【００２１】
サポーターの基本的な形状は図２または図３のようなものであるが、全体の大きさを変えることにより、乳幼児用、男性用、女性用等、使用者の体型に合わせたものにすることができる。また、腹部の上端とでん部の上端部分の横幅を広くするほど、上衣の裾の両脇部分のずり上がりを防止する効果が高まるという特徴がある。図３のようにショーツ状に両脇をつなげた形状のものは、両脇部分のずり上がりを防止する効果が最も高いといえる。
【００２２】
本発明のサポーターは、シャツやブラウス等の上衣に取り付けて人体の股間部分とサポーターを密着させ、つねに上衣を下方向に引っ張る力を働かせることにより、腰をかがめたり腕を上げたりの日常的な動作によって上衣がずり上がるのを防止するものである。このため、サポーターの素材は人体にぴったりとフィットするように伸縮性に優れたものである必要がある。また快適に装着するため、通気性にも優れた素材が望ましい。さらに、本サポーターは上衣に固定的に取り付ける場合もあるため、洗濯にも耐えられるものでなくてはならない。
【００２３】
サポーターの上衣への取り付けは、使用者自身またはその家族等が行うため、使用者の体型に合わせて最適な位置に調節することができるのも、本サポーターの大きな特徴である。この場合の最適な位置とは、サポーターと使用者の股間部分がぴったりと密着する位置である。サポーターは上衣の表面と内面のどちらにも取り付けることができるが、内面に取り付ける方がサポーターが目立たなくてよい。
【００２４】
サポーターの上衣への取り付け手段については、（１）接着剤や接着テープ等で固定的に取り付ける、（２）スナップボタン、ホック、面ファスナー等で着脱できるように取り付ける、（３）糸で縫いつける、等が考えられる。
【００２５】
上述の（１）の手段の場合、サポーターの取り付け部分にあらかじめアイロン等で接着可能な接着剤や接着テープを付着しておくことで、誰もが短時間で容易に上衣にサポーターを取り付けることができる。また接着面の凹凸がほとんどないため、ズボンやスカートの表面から目立たない。
【００２６】
（２）の手段の場合、サポーターを取り外すことができるため、上衣の裾をズボンやスカートの表に出して着用することができる。但し、上衣の内面にはスナップボタン、ホック、面ファスナー等の対の一方が残るが、アイロン接着等で取り付ければ、上衣の表面からはあまり目立たない。また、同様の方法で別の上衣の内面にスナップボタン、ホック、面ファスナー等の対の一方を取り付けておけば、１つのサポーターで複数の上衣のずり上がりを防止することができる。この手段では、取り付け部分にスナップボタン、ホック、面ファスナー等の凹凸があるため、薄手のズボンやスカートまたは下半身にぴったりと密着した形状のズボンやスカートを着用する場合にはあまり適さない。
【００２７】
（３）の手段の場合、縫い目が上衣の表面に出てしまうが、縫い目をほどけばサポーターを取り外すことができ、何度でも取り付け位置を調節することができる。また、（１）の手段同様、取り付け部分の凹凸がほとんどないため、ズボンやスカートの表面から目立たない。（１）の手段で固定的に取り付ける前に、最適な位置を決めるための手段ともなる。
【００２８】
サポーターを上衣に固定的に取り付ける場合には、股間部分での開閉構造が不可欠である。また、図４および図５のような一体型サポーターは、トイレ等の際には下ばきと一緒に脱ぎ着するので、上衣に固定的に取り付けることはできない。このような一体型サポーターの上衣への取り付けは、図４のサポーター前部の上端部分9と前身頃の内面とを、図５のサポーター後部の上端部分10と後身頃の内面とを、それぞれスナップボタン、ホック、面ファスナー等で着脱できるように行う必要がある。
【実施例】
【００２９】
上述のように、本サポーターはさまざまな形状を持つものであるが、その中でも最も需要の高いと思われる２つの実施例、（１）前開き対応サポーターを女性用ブラウスにアイロン接着する方法、（２）下ばき一体型サポーターを男性用シャツに面ファスナーで取り付ける方法ついて、図６および図７を用いて詳述する。
【００３０】
（１）前開き対応サポーターを女性用ブラウスにアイロン接着する方法は、図６のようになる。サポーターの各パーツの寸法は、サポーター前部右13および前部左17の上端の横幅80mm、上端から股間の分離部分までの長さ120mm、股間部分の横幅30mm程度が適当である。サポーター後部21は上端の横幅200mm、上端から股間の分離部分までの長さ300mm、股間部分の横幅60mm程度とする。前部右14、前部左18、後部22の股間部分の分離部分にはスナップボタンを左右合わせて２対取り付ける。前部右15、前部左19の中央部分の分離部分にもスナップボタンを１対取り付けると、トイレ等で股間部分を開閉する際の作業が容易になる。各パーツの上端部分の前部右16、前部左20、後部23の位置にアイロン接着用の接着剤や接着テープ等をあらかじめ取り付けておく。
【００３１】
サポーターの使用者は、実際にブラウス12を着用し、サポーターの３つのパーツを合わせた状態で股間部分に当ててみる。ブラウスにサポーターと使用者の股間部分がぴったりと密着する位置の印をつけ、アイロン接着する。以上でブラウスへのサポーターの取り付けが完了する。使用者は、サポーターのスナップを外した状態でブラウスを着用し、サポーターの中央および股間部分のスナップを閉じれば、ずり上がりを気にすることなく、快適に上衣を着こなすことができる。
【００３２】
（２）下ばき一体型サポーターを男性用シャツに面ファスナーで取り付ける方法は、図７のようになる。男性用ブリーフ25の寸法は胴回り650mm、ウエストから股間下までの長さ320mmとする。重ね合わせるサポーター26は、図３のようなショーツ状で、寸法が胴回り680mm、上端から股間下までの長さ280mmとし、前部中央を切り離した形状とする。サポーターの上端から約50mmの部分27に、サポーターの前部と後部どちらにも面ファスナーの対の一方を取り付ける。このサポーターをブリーフの上に重ね合わせる。サポーターの伸縮性をできるだけ損なわないようにサポーターにある程度の自由度を残すため、ブリーフとサポーターを縫い合わせる箇所は、股間部分と足回り、前部中央の分離部分等の一部にとどめる。さらに、サポーターの上端部分がずり落ちないようにするため、ゴム等の弾性素材28を用いてブリーフにサポーターを取り付ける。
【００３３】
サポーターの使用者は、実際にシャツ24と下ばき一体型サポーターを着用し、シャツにサポーターの面ファスナーが当たる位置の印をつける。図７の29のように、前身頃の左右それぞれに２カ所、後身頃に３カ所、面ファスナーの対のもう一方をアイロン接着する。以上でブリーフ一体型サポーターを使用するための準備が完了する。使用者は、シャツとブリーフ一体型サポーターを着用し、面ファスナーが取り付けてある箇所をシャツの表面からサポーターに押し付ければ、面ファスナーが接着してサポーターの取り付けが完了する。このように、サポーター側に取り付ける面ファスナーの面積を広くすることにより、トイレ等で下ばきを脱ぎ着する場合にも、手間をかけることなく容易にサポーターを着脱できる。
【図面の簡単な説明】
【００３４】
【図１】サポーターを上衣に取り付けた状態での斜視図である。
【図２】図１のサポーターを取り外した状態での詳細図である。
【図３】両脇を縫い合わせ、ショーツ状に仕立てたサポーターである。
【図４】下ばき一体型サポーターの正面図である。
【図５】下ばき一体型サポーターの背面図である。
【図６】前開き対応サポーターをブラウスに取り付ける例の詳細図である。
【図７】下ばき一体型サポーターをシャツに取り付ける例の詳細図である。
【符号の説明】
【００３５】
1、12、24                    シャツまたはブラウス等の上衣
2、7、26                    サポーター（伸縮性のある素材）
3、4、9、10、16、20、23    上衣への取り付け部分
5                            股間部分の分離部分
6                            サポーター前部の分離部分
8、25                        ブリーフまたはガードル等の下ばき
13、17                      サポーター前部の右または左パーツ
14、15、18、19、22          分離部分に取り付けたスナップボタン
21                            サポーター後部
27                            上端部分に取り付けた面ファスナー
11、28                        ゴム等の弾性素材
29                            シャツに取り付けた面ファスナー
【図１】
2006241647.tif 000003
【図２】
2006241647.tif 000004
【図３】
2006241647.tif 000005
【図４】
2006241647.tif 000006
【図５】
2006241647.tif 000007
【図６】
2006241647.tif 000008
【図７】
2006241647.tif 000009